(57)【要約】【課題】ヒートポンプユニットにおけるコンプレッサのアキュムレータを付設した部分からユニットケースへの振動の伝達を少なくするのに、それが、製品価格を高くせず、且つヒートポンプユニットのコンパクト化の障害とならないようにしてできるようにする。【解決手段】ヒートポンプユニット３０のユニットケース３２のうち、コンプレッサのアキュムレータを含む部分が近接する箇所に、複数のスリット３８を形成し、それによって、コンプレッサのアキュムレータを付設した部分からの振動が、スリット３８で挟んで形成された短冊状部分３９に伝達されて、該短冊状部分３９を振動させるのみで吸収され、ユニットケース３２のそれ以外の部分への振動の伝達はスリット３８で断たれるようにした。【選択図】図１
2012024137.tif 000002
【特許請求の範囲】
【請求項１】
乾燥室と、
この乾燥室の外部に位置するユニットケースに、アキュムレータを付設したコンプレッサと熱交換器とを内設し、コンプレッサを弾性体を介し支持して成るヒートポンプユニットと、
前記乾燥室内の空気を前記ヒートポンプユニットの熱交換器に接触させて循環させる空気循環装置とを具備するものにおいて、
前記ユニットケースのうち、前記コンプレッサの前記弾性体より上方のアキュムレータを含む部分が近接する箇所に、複数のスリットを形成したことを特徴とする衣類乾燥機。
【請求項２】
ヒートポンプユニットのユニットケースにコンプレッサを弾性体を介し支持する構造において、
前記弾性体は、前記ユニットケースの底面より上方に突設したボスを囲繞して、その上部で前記コンプレッサの外方に突出した腕部を支持するものであり、
前記ボスの下部より上部の外径を径小に形成したことを特徴とする請求項１記載の衣類乾燥機。
【発明の詳細な説明】
【技術分野】
【０００１】
本発明の実施形態は、ヒートポンプを使用する衣類乾燥機に関する。
【背景技術】
【０００２】
近年、ヒートポンプを使用する衣類乾燥機が供されている。このヒートポンプを使用する衣類乾燥機は、衣類を収容する乾燥室の外部に、ヒートポンプユニットと空気循環装置とを具えている。ヒートポンプユニットは、ユニットケースに、アキュムレータを付設したコンプレッサと熱交換器（凝縮器及び蒸発器）とを内設し、コンプレッサを弾性体を介し支持して構成されている。そして、空気循環装置は、送風機を主体とし、その送風機の送風作用により、乾燥室内の空気を上記ヒートポンプユニットの熱交換器に接触させて循環させるようになっており、それによって衣類の乾燥を行なうようになっている。
【０００３】
従って、ヒートポンプを使用する衣類乾燥機は、全体の外殻である外箱の内部に、主として、乾燥室とヒートポンプユニット及び空気循環装置を配設しているものであるが、外箱は、衣類乾燥機を一般家庭の設置スペースに設置することの大きさの制約があり、乾燥室は、できる限り多くの衣類を乾燥させるのに充分な容積が必要とされる。加えて、外箱の内部には、空気循環装置をも配設している。これらにより、ヒートポンプユニットは、よりコンパクトに構成せざるを得ず、ユニットケースの内部に、前記アキュムレータを付設したコンプレッサと熱交換器とを密に配設しているのが一般的である。
【０００４】
一方、コンプレッサは、その特性上、周波数ごとに異なる振動状態となり、上述のユニットケースの内部に密に配設した構成においては、その振動の伝達を遮断し、騒音を抑えることが重要である。しかし、上述のコンパクト構成のために、コンプレッサの周囲に振動の伝達を遮断するのに有効な充分な隙間を確保することは不可能であり、又、熱交換器の部分に充分な風量を確保し、その他のスペース効率を上げるために、コンプレッサはユニットケース内の端の部分に配置せざるを得ない。
【０００５】
又、コンプレッサの、アキュムレータを付設した部分は、同コンプレッサの例えば下部に位置する駆動モータや圧縮室部分から離れて例えば上部に位置しており、それら駆動モータや圧縮室を振源とする振動の幅が大きくなる事情にあり、特に駆動初期においては、その振動の幅が大きくなる。
【０００６】
更に、前述のコンプレッサがユニットケース内の端の部分に配置されることと併せ、製造上不可避的なコンプレッサ位置のばらつきがあって、コンプレッサのアキュムレータを付設した部分がユニットケースに接触することもあり、それらによって、コンプレッサのアキュムレータを付設した部分からユニットケースへの振動の伝達が発生し、騒音が発生する場合があった。
【０００７】
これに対して、コンプレッサのアキュムレータを付設した部分とユニットケースとの間にゴムスポンジ等の弾性体を介在させる考えがある（例えば特許文献１参照）。
【先行技術文献】
【特許文献】
【０００８】
【特許文献１】特開２０１０−５７５４５号公報
【発明の概要】
【発明が解決しようとする課題】
【０００９】
上述のように、コンプレッサのアキュムレータを付設した部分とユニットケースとの間にゴムスポンジ等の弾性体を介在させるものでは、コンプレッサのアキュムレータを付設した部分がユニットケースに接触する状況となったときに、コンプレッサのアキュムレータを付設した部分からユニットケースへの振動の伝達を弾性体で吸収することにより少なくし、ひいては騒音の発生を少なくすることが可能である。
【００１０】
しかしながら、このものの場合、弾性体という別部品が必要であり、その分、製品価格が高くなる。又、弾性体という別部品を設置するのに、それなりのスペースが必要であり、その分、ヒートポンプユニットのコンパクト化の障害となるという欠点を有する。
【００１１】
そこで、ヒートポンプユニットにおけるコンプレッサのアキュムレータを付設した部分からユニットケースへの振動の伝達を少なくするのに、それが、製品価格を高くせず、且つヒートポンプユニットのコンパクト化の障害とならないようにしてできる衣類乾燥機を提供する。
【課題を解決するための手段】
【００１２】
本実施形態の衣類乾燥機においては、乾燥室と、この乾燥室の外部に位置するユニットケースに、アキュムレータを付設したコンプレッサと熱交換器とを内設し、コンプレッサを弾性体を介し支持して成るヒートポンプユニットと、前記乾燥室内の空気を前記ヒートポンプユニットの熱交換器に接触させて循環させる空気循環装置とを具備するものにおいて、前記ユニットケースのうち、前記コンプレッサの前記弾性体より上方のアキュムレータを含む部分が近接する箇所に、複数のスリットを形成したことを特徴とする。
【図面の簡単な説明】
【００１３】
【図１】一実施形態を示す主要部分の斜視図
【図２】機全体の、一部を破断した縦断側面図
【図３】機内部構造体の斜視図
【図４】主要部分の、一部を取除いた斜視図
【図５】異なる主要部分の拡大縦断側面図
【発明を実施するための形態】
【００１４】
以下、ドラム式洗濯乾燥機に適用した一実施形態につき、図面を参照して説明する。
まず、図２には、ドラム式洗濯乾燥機の全体構成を示しており、外殻である外箱１の内部に水槽２を配設している。水槽２の上方には、給水弁３と給水ケース４とを主体とする給水装置５を配設しており、この給水装置５において、給水弁３には水道水が図示しない給水ホースを介して供給され、その供給された水を接続パイプ６を介して給水ケース４に供給し、更に給水ケース４から接続ホース７を介して水槽２の内部に供給するようになっている。
【００１５】
水槽２は円筒状を成しており、それを、その軸方向が前後（図２では左右）となる横軸状で、しかも前上がり（図２では左上がり）の傾斜状を成すように、左右一対（一方のみ図示）のサスペンション８によって支持している。又、この水槽２は、前端部の中央部に開口９を有しており、この開口９に、外箱１の前面部に形成した洗濯物出し入れ用の開口１０をベローズ１１で連ねている。外箱１の開口１０には、扉１２を開閉可能に設けている。
【００１６】
水槽２には、そのほか、前部の上部に温風出口１３を形成しており、後端部の上部に温風戻り口１４を形成している。更に、水槽２には、底部の最後部に排水口１５を形成しており、この排水口１５には排水弁１６を介して排水ホース１７を接続し、これら排水弁１６及び排水ホース１７によって水槽２内の水を機外に排出するようにしている。
【００１７】
水槽２の内部には、回転槽（ドラム）１８を配設している。この回転槽１８も円筒状を成しており、その周側部（胴部）には、ほゞ全域に通水・通風用の孔１９を形成している（一部のみ図示）。又、回転槽１８の奥部の中心部周りには、多数の小孔から成る温風導入口２０を形成している。更に、回転槽１８の背面には補強部材２１を取付け、この補強部材２１を介して、回転槽１８の背面の中心部に軸２２を取付けている。
【００１８】
これに対して、水槽２の背面の中心部には、軸受ハウジング２３を取付けており、この軸受ハウジング２３に上記軸２２を挿通支承させることにより、回転槽１８を水槽２と同様の、軸方向が前後となる横軸状で、しかも前上がりの傾斜状を成すように支持している。
軸受ハウジング２３には、外周にモータ２４取付けており、このモータ２４はアウターロータ形で、更に、この場合、ブラシレスＤＣモータであって、回転槽１８を軸２２を中心に回転させる駆動装置として機能するようになっている。
【００１９】
水槽２の奥部には、温風カバー２５を装着している。この温風カバー２５は、軸２２を囲繞すると共に前記温風戻り口１４に対向するもので、水槽２の奥面との間で、温風戻り口１４から軸２２の周囲部分へと通じる温風通路２６を構成している。又、前記補強部材２１には、前記軸２２を取付けた中心部の周囲部分に複数の比較的大きな孔２７を形成しており、これが温風通路２６と前記回転槽１８奥部の温風導入口２０とを連通させている。なお、補強部材２１には、上記孔２７を形成した部分の外周部から温風カバー２５に達するシール部材２８を装着している。
【００２０】
外箱１の底部は、台板２９で構成しており、この台板２９の奥部上にヒートポンプユニット３０を、図３及び図４、図１に示す送風機３１と共に載置固定している。ヒートポンプユニット３０は、ユニットケース３２を外殻としており、このユニットケース３２に、図４に示すアキュムレータ３３を付設したコンプレッサ３４と、熱交換器（凝縮器３５及び蒸発器３６）、絞り弁又はキャピラリチューブ等の絞り器（図示せず）、及びそれらを接続する接続管３７の一部を内設して構成している。
【００２１】
なお、ユニットケース３２は、下部３２ａと図１ないし図３に示す上部３２ｂとを接合し構成しており、ヒートポンプは、コンプレッサ３４、凝縮器３５、絞り器、蒸発器３６、アキュムレータ３３、そして又コンプレッサ３４の順に、それらを接続管３７により接続して構成するもので、その経路内には冷媒を封入している。
【００２２】
ここで、ヒートポンプユニット３０は、前述の事情から、コンパクトに構成しており、上記アキュムレータ３３を付設したコンプレッサ３４と、熱交換器（凝縮器３５及び蒸発器３６）、絞り弁又はキャピラリチューブ等の絞り器、及びそれらを接続する接続管３７は、ユニットケース３２の内部に密に配設している。又、そのうちのアキュムレータ３３を付設したコンプレッサ３４は、ユニットケース３２内の端の部分に配置しており、更に、コンプレッサ３４の、アキュムレータ３３を付設した部分は、同コンプレッサ３４の例えば下部に位置する駆動モータや圧縮室部分から離れて、この場合、上部に位置している。
【００２３】
そして、ユニットケース３２（上部３２ｂ）のうち、コンプレッサ３４のアキュムレータ３３を含む部分が近接する箇所には、図１に示すように、上下に延びるスリット３８を複数（この場合、２つ）形成しており、それによって、特にユニットケース３２のうちの、コンプレッサ３４のアキュムレータ３３を含む部分が最も近接する箇所に、上記スリット３８で挟んで短冊状部分３９を形成している。なお、スリット３８は下部から上部にかけて漸次幅広に形成している。
【００２４】
更に、図５はコンプレッサ３４の支持構造を示しており、ボス４０及び弾性体４１を図示している。そのうち、ボス４０は、ユニットケース３２（下部３２ａ）の底面から上方に突設した円柱状のものであり、弾性体４１はそのボス４０を囲繞する円筒状で且つ蛇腹状のもので、この弾性体４１の上部に、コンプレッサ３４の外方に突出した腕部３４ａを嵌合し、弾性体４１よりやゝ上方に突出したボス４０の最上部に弾性体４１より径大なワッシャ４２を載置して、このワッシャ４２からボス４０にねじ４３を螺挿して締め付けることにより、ユニットケース３２に弾性体４１を介してコンプレッサ３４を支持する構造としている。
【００２５】
なお、その結果、コンプレッサ３４の前記アキュムレータ３３を含む部分は、弾性体４１より上方に位置しており、ユニットケース３２の前記スリット３８を形成した部分も、弾性体４１より上方に位置している。又、図５はコンプレッサ３４の支持構造の１つのみを示しており、同様の構造がほかにも存在し、すなわち、複数の支持構造でコンプレッサ３４を支持している。
そして、かかるコンプレッサ３４の支持構造において、ボス４０は、下部４０ａより上部４０ｂの外径を径小に形成している。
【００２６】
ユニットケース３２は、そのほか、図１に示すように、コンプレッサ３４側の上部に入気口４４を形成しており、この入気口４４に、図２に示す入気側ダクトパイプ４５を接続している。入気側ダクトパイプ４５は、上部に専らリントを捕獲するフィルタ部４６を有するものであり、上記入気口４４側とは反対側の端部を、可撓ホース４７を介して前記水槽２の温風出口１３に接続している。
【００２７】
更に、ユニットケース３２のコンプレッサ３４側とは反対側の側壁には、図４に示す連通口４８を形成しており、この連通口４８に前記送風機３１が臨んで連通している。送風機３１は又、ケーシング３１ａをユニットケース３２に結合したものであり、ケーシング３１ａ内には送風羽根３１ｂを配設し、この送風羽根３１ｂを回転駆動するモータ（図示せず）をケーシング３１ａ外に有している。又、送風機３１のケーシング３１ａは出口部４９を上部に有しており、この出口部４９を、図３に示す可撓ホース５０（図３参照）及び出気側ダクトパイプ５１を介して、前記水槽２の温風戻り口１４に接続している。
【００２８】
かくして、前記回転槽１８内の空気を前記可撓ホース４７、入気側ダクトパイプ４５、ユニットケース３２、送風機３１、可撓ホース５０、及び出気側ダクトパイプ５１を通じて循環させる空気循環装置５２を構成しており、その循環経路にあって、特にユニットケース３２内では、空気が蒸発器３６から凝縮器３５に接触して流通するようになっている。又、そのユニットケース３２内における空気の流通路は、コンプレッサ３４から隔絶して構成している。
【００２９】
なお、凝縮器３５と蒸発器３６は、詳しくは図示しないが、蛇行状の各冷媒流通パイプに、共通の伝熱フィンを多数固着して成るもので、その伝熱フィンの各間がユニットケース３２内における空気の流通方向と平行に並ぶように配置している。
【００３０】
次に、上記構成のものの作用を述べる。
上記構成のものでは、標準的な運転コースが開始されると、最初に洗濯（洗い及びすすぎ）行程が開始される。この洗濯行程では、給水装置５により水槽２内に給水する動作が行われ、続いて、モータ２４が作動されることにより、回転槽１８が低速で正逆両方向に交互に回転される。これにより、回転槽１８内に収容された洗濯物が上げ下げされて洗濯される。
【００３１】
洗濯行程が終了すると、次に、脱水行程が開始される。この脱水行程では、水槽２内の水を排水弁１６及び排水ホース１７により排出した後、回転槽１８を高速で一方向に回転させる動作が行われる。これにより、回転槽１８内の洗濯物が遠心脱水される。
脱水行程が終了すると、次に、乾燥行程が実行される。この乾燥行程では、回転槽１８を低速で正逆両方向に回転させつつ、送風機３１を作動させることによる送風作用で、回転槽１８内の空気が水槽２の温風出口１３から可撓ホース４７及び入気側ダクトパイプ４５を経てユニットケース３２内に流入される。
【００３２】
又、このときには、ヒートポンプのコンプレッサ３４の作動が開始される。これにより、ヒートポンプに封入された冷媒が圧縮されて高温高圧の冷媒となり、その高温高圧の冷媒が凝縮器３５に流れて、ユニットケース３２内の空気と熱交換する。その結果、ユニットケース３２内の空気が加熱され、反対に、冷媒の温度は低下して液化される。この液化された冷媒が、次に、絞り器を通過して減圧された後、蒸発器３６に流入し、気化する。それにより、蒸発器３６はユニットケース３２内の空気を冷却する。蒸発器３６でユニットケース３２内の空気を冷却することでその熱を奪った冷媒は、その後、アキュムレータ３３を経てコンプレッサ３４に戻る。
【００３３】
これらにより、前記回転槽１８内からユニットケース３２内に流入した空気は、蒸発器３６で冷却されて除湿され、その後に凝縮器３５で加熱されて温風化される。そして、その温風が可撓ホース５０及び出気側ダクトパイプ５１を経て、水槽２の温風戻り口１４から温風通路２６、補強部材２１の孔２７、及び回転槽１８の温風導入口２０を順に経て回転槽１８内に戻し供給される。
【００３４】
回転槽１８内に戻し供給された温風は、回転槽１８内の洗濯物と接触してその水分を奪った後、前記水槽２の温風出口１３から可撓ホース４７及び入気側ダクトパイプ４５を経てユニットケース３２内に流入する。
かくして、蒸発器３６と凝縮器３５を有するユニットケース３２内と回転槽１８を有する水槽２内との間を空気が循環することにより、回転槽１８内の洗濯物が乾燥される。従って、このときに回転槽１８内は乾燥室して機能する。
この後、乾燥行程が終了し、標準的な運転コースが終了される。
【００３５】
以上のように上記構成のものでは、内部が乾燥室として機能する回転槽１８の外部に位置するユニットケース３２に、アキュムレータ３３を付設したコンプレッサ３４と、熱交換器である蒸発器３６と、同じく熱交換器である凝縮器３５とを内設し、コンプレッサ３４を弾性体４１を介し支持して成るヒートポンプユニット３０と、回転槽１８内の空気を上記ヒートポンプユニット３０の蒸発器３６及び凝縮器３５に接触させて循環させる空気循環装置５２とを具備するものにおいて、上記ユニットケース３２のうち、コンプレッサ３４の上記弾性体４１より上方のアキュムレータ３３を含む部分が近接する箇所に、複数のスリット３８を形成している。
【００３６】
これにより、ヒートポンプユニット３０のコンパクト構成をもとに、コンプレッサ３４がユニットケース３２内の端の部分に配置され、更に、製造上不可避的なコンプレッサ３４位置のばらつき等があって、コンプレッサ３４のアキュムレータ３３を付設した部分がユニットケース３２に接触することがあっても、コンプレッサ３４のアキュムレータ３３を付設した部分からの振動は、スリット３８で挟んで形成された短冊状部分３９に伝達されて、該短冊状部分３９を振動させるのみで、ユニットケース３２のそれ以外の部分への振動の伝達はスリット３８で断たれる。かくして、コンプレッサ３４のアキュムレータ３３を付設した部分からユニットケース３２への振動の伝達を、スリット３８で挟んで形成された短冊状部分３９で吸収することができるものであり、ひいては振動の伝達による騒音の発生を少なくすることができる。
【００３７】
しかも、上記構成のものの場合、上記作用効果を、別部品を要せずにできるので、製品価格を高くすることなくできるものであり、且つ別部品設置のスペースが必要とされることもなくできるので、ヒートポンプユニット３０のコンパクト化の障害とならないようにしてできる。
【００３８】
加えて上記構成のものの場合、ヒートポンプユニット３０のユニットケース３２にコンプレッサ３４を弾性体４１を介し支持する構造にあって、その弾性体４１は、ユニットケース３２の底面より上方に突設したボス４０を囲繞して、その上部でコンプレッサ３４の外方に突出した腕部３４ａを支持するものであり、そのものにおいて、ボス４０の下部４０ａより上部４０ｂの外径を径小に形成している。
【００３９】
これにより、製造上不可避的なコンプレッサ３４位置のばらつき（片寄り）があっても、弾性体４１はコンプレッサ３４の腕部３４ａを支持する上部でのボス４０との接触が避けられ、コンプレッサ３４から弾性体４１及びボス４０を介してのユニットケース３２への振動の伝達が避けられるので、その振動の伝達による騒音の発生をより少なくすることができる。
【００４０】
以上説明した衣類乾燥機は、上記実施形態にのみ限定されるものではなく、特に機全体としては、洗濯機能及び脱水機能はなくても良いし、水槽及び回転槽も縦軸形であっても良い。又、スリット３８は２つに限られず、それ以上の数で設けていても良いなど、要旨を逸脱しない範囲内で適宜変更して実施し得る。
【００４１】
そのほか、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４２】
図面中、１８は回転槽（乾燥室）、３０はヒートポンプユニット、３２はユニットケース、３３はアキュムレータ、３４はコンプレッサ、３４ａはコンプレッサの腕部、３５は凝縮器（熱交換器）、３６は蒸発器（熱交換器）、３８はスリット、４０はボス、４０ａはボスの下部、４０ｂはボスの上部、４１は弾性体、５２は空気循環装置を示す。
【図１】
2012024137.tif 000003
【図２】
2012024137.tif 000004
【図３】
2012024137.tif 000005
【図４】
2012024137.tif 000006
【図５】
2012024137.tif 000007